(57)【要約】【課題】無線端末機において、ディジタルマルチメディア放送（ＤＭＢ）信号を受信する装置及び方法を提供する。【解決手段】第１のアンテナは、衛星ＤＭＢ信号及び第１の地上ＤＭＢ信号を受信する。第２のアンテナは、第２の地上ＤＭＢ信号を受信する。衛星ＤＭＢ受信器は、第１のアンテナを介して衛星ＤＭＢ信号を受信する。地上ＤＭＢ受信器は、第１及び第２のアンテナを介して第１及び第２の地上ＤＭＢ信号を受信する。スイッチング部は、第１のアンテナが受信した衛星ＤＭＢ信号及び第１の地上ＤＭＢ信号を衛星ＤＭＢ受信器又は地上ＤＭＢ受信器へスイッチングする。このような装置は、無線端末機を使用して通信するだけではなく、ＤＭＢを受信することができるので、ユーザの利便性を向上させることができる。【選択図】図１
2005328543.tif 000002
【特許請求の範囲】
【請求項１】
無線端末機において、ディジタルマルチメディア放送信号を受信する装置であって、
衛星ＤＭＢ信号及び第１の地上ＤＭＢ信号を受信する第１のアンテナと、
第２の地上ＤＭＢ信号を受信する第２のアンテナと、
前記衛星ＤＭＢ信号を処理する衛星ＤＭＢ受信器と、
前記第１及び第２の地上ＤＭＢ信号を処理する地上ＤＭＢ受信器と、
前記第１のアンテナが受信した前記衛星ＤＭＢ信号及び前記第１の地上ＤＭＢ信号を前記衛星ＤＭＢ受信器及び前記地上ＤＭＢ受信器のうちのいずれか１つへスイッチングするスイッチング部と
を含むことを特徴とする装置。
【請求項２】
前記衛星ＤＭＢ受信器は、
前記スイッチング部を介して印加される前記衛星ＤＭＢ信号を受信する第１のチューナーと、
前記第１のチューナーが受信した前記衛星ＤＭＢ信号を復調し、前記復調された衛星ＤＭＢ信号をオーディオ及び映像信号に分離して、各チャンネルをデコーディングする第１のＤＭＢプロセッサーと、
前記第１のＤＭＢプロセッサーによって前記衛星ＤＭＢ信号から分離されたオーディオ及び映像信号をデコーディングし、前記デコーディングされたオーディオ及び映像信号を出力する第１のコーデックと
を含むことを特徴とする請求項１記載の装置。
【請求項３】
前記第１のＤＭＢプロセッサーは、
前記第１のチューナーから印加された前記衛星ＤＭＢ信号を復調し、前記復調された衛星ＤＭＢ信号を前記オーディオ及び映像信号に分離する第１の復調器と、
前記第１の復調器で復調された前記衛星ＤＭＢ信号の各チャンネルをデコーディングする第１のチャンネルデコーダーと、
送受信される衛星ＤＭＢ信号を同期化するパイロットチャンネルデコーダーと
を含むことを特徴とする請求項２記載の装置。
【請求項４】
前記地上ＤＭＢ受信器は、
前記スイッチング部を通して印加された前記第１の地上ＤＭＢ信号及び前記第２のアンテナを介して受信された第２の地上ＤＭＢ信号を受信する第２のチューナーと、
前記第２のチューナーが受信した前記第１及び第２の地上ＤＭＢ信号を復調し、前記復調された第１及び第２の地上ＤＭＢ信号をオーディオ及び映像信号に分離し、各チャンネルをデコーディングする第２のＤＭＢプロセッサーと、
前記第２のＤＭＢプロセッサーによって前記第１及び第２の地上ＤＭＢ信号から分離されたオーディオ及び映像信号をデコーディングし、前記デコーディングされたオーディオ及び映像信号を出力する第２のコーデックと
を含むことを特徴とする請求項１記載の装置。
【請求項５】
前記第２のＤＭＢプロセッサーは、
前記第２のチューナーに受信された第１及び第２の地上ＤＭＢ信号を復調し、前記復調された第１及び第２の地上ＤＭＢ信号をオーディオ及び映像信号に分離する第２復調器と、
前記第２の復調器で復調された前記第１及び第２の地上ＤＭＢ信号の各チャンネルをデコーディングする第２のチャンネルデコーダーと
を含むことを特徴とする請求項４記載の装置。
【請求項６】
前記スイッチング部は、前記無線端末機が通信モードを遂行する場合、前記第１のアンテナを介して受信された通信信号を無線通信機能を遂行するＲＦ部へスイッチングすることを特徴とする請求項１記載の装置。
【請求項７】
前記無線端末機は、移動端末機を含むことを特徴とする請求項１記載の装置。
【請求項８】
前記衛星ＤＭＢモードの周波数帯域は、２．６〜２．６５ＧＨｚであり、前記第１の地上ＤＭＢモードの周波数帯域は、１４５２〜１４９２ＭＨｚであり、前記第２の地上ＤＭＢモードの周波数帯域は、１７４〜２４０ＭＨｚであることを特徴とする請求項１記載の装置。
【請求項９】
無線端末機において、ディジタルマルチメディア放送信号を受信する方法であって、
テレビジョンモードでＤＭＢ視聴を選択する場合、ＤＭＢ信号の利用可能な種類を表示するステップと、
前記表示されたＤＭＢ信号の種類のうち、ユーザによって衛星ＤＭＢが選択されると、前記衛星ＤＭＢ信号を受信して出力するステップと、
前記表示されたＤＭＢ信号の種類のうち、地上ＤＭＢが選択されると、前記地上ＤＭＢ信号を受信して出力するステップと
を含むことを特徴とする方法。
【請求項１０】
前記受信するステップは、
前記衛星ＤＭＢ信号を受信するステップと、
前記受信された衛星ＤＭＢ信号を復調するステップと、
前記復調された衛星ＤＭＢ信号をオーディオ及びビデオ信号に分離するステップと、
前記分離されたオーディオ及びビデオ信号をチャンネル別にそれぞれデコーディングするステップと、
前記衛星ＤＭＢ信号から分離されたオーディオ及びビデオ信号をデコーディングして出力するステップと
を含むことを特徴とする請求項９記載の方法。
【請求項１１】
前記復調するステップは、
前記衛星ＤＭＢ信号を復調し、前記復調された衛星ＤＭＢ信号をオーディオ及びビデオ信号に分離するステップと、
前記復調された衛星ＤＭＢ信号をデコーディングするステップと、
送受信される衛星ＤＭＢ信号の同期化を遂行するステップと
を含むことを特徴とする請求項１０記載の方法。
【請求項１２】
第１及び第２の地上ＤＭＢ信号を受信するステップは、
スイッチング部から前記第１の地上ＤＭＢ信号を受信し、第２のアンテナを介して前記第２の地上ＤＭＢ信号を受信するステップと、
前記第１及び第２の地上ＤＭＢ信号を復調するステップと、
前記復調された第１及び第２の地上ＤＭＢ信号をオーディオ及びビデオ信号に分離するステップと、
前記分離されたオーディオ及びビデオ信号をチャンネル別にそれぞれデコーディングするステップと、
前記第１及び第２の地上ＤＭＢ信号から分離されたオーディオ及びビデオ信号をデコーディングして出力するステップと
を含むことを特徴とする請求項９記載の方法。
【請求項１３】
前記第１及び第２の地上ＤＭＢ信号を復調するステップは、
前記受信された第１及び第２の地上ＤＭＢ信号を復調するステップと、
前記復調された第１及び第２の地上ＤＭＢ信号をオーディオ及びビデオ信号に分離するステップと、
前記復調された第１及び第２の地上ＤＭＢ信号をチャンネル別にそれぞれデコーディングするステップと
を含むことを特徴とする請求項１２記載の方法。
【請求項１４】
スイッチングするステップは、
前記無線端末機が通信モードを遂行する場合、第１のアンテナを介して受信された通信信号を無線通信の機能を遂行するＲＦ部へスイッチングするステップをさらに含むことを特徴とする請求項９記載の方法。
【請求項１５】
前記無線端末機は、移動端末機を含むことを特徴とする請求項９記載の方法。
【請求項１６】
前記衛星ＤＭＢ信号の周波数帯域は、２．６〜２．６５ＧＨｚであり、前記地上ＤＭＢ信号の周波数帯域は、１４５２〜１４９２ＭＨｚ又は１７４〜２４０ＭＨｚであることを特徴とする請求項９記載の方法。
【発明の詳細な説明】
【技術分野】
【０００１】
本発明は、ディジタルマルチメディア放送（DIGITAL MULTIMEDIA BROADCASTING；以下、ＤＭＢと称する）に関し、特に、無線端末機において、ディジタルマルチメディア放送を受信する装置及び方法に関する。
【背景技術】
【０００２】
ＤＭＢは、ＣＤ（Compact Disk）水準の音質、データ、及び映像サービスなどを提供することができる。また、ＤＭＢは、放送受信機を移動させるときにも優秀な受信品質を提供することができる。ＤＭＢは、伝送手段（地上波又は衛星）に従って、地上ＤＭＢ及び衛星ＤＭＢに区分される。すなわち、ＤＭＢは、多様な高品質のディジタルコンテンツ（Video/Audio/Data）を提供するためのディジタルマルチメディア放送サービスを経済的な放送網を介して受信機へ提供する。
【０００３】
一方、上記地上ＤＭＢは、地上中継器を用いて音楽及び映像サービスを提供する。また、上記衛星ＤＭＢは、極超短波（ＵＨＦ）に該当する２．６〜２．６６５ＧＨｚの帯域でサービスを提供する。例えば、韓国の冠岳山の送信局が上記地上ＤＭＢに対する電波を伝送する場合、上記地上ＤＭＢサービスは、首都圏に提供される。上記衛星ＤＭＢサービスに対する電波が大気圏の外に位置した衛星から韓半島へ伝送される場合、韓国の全地域は、上記衛星ＤＭＢサービスを同時に受信することができる。上記ＤＭＢが無線端末機を受信することができれば、上記無線端末機のユーザは、上記ＤＭＢサービスを便利に使用することができる。
【発明の開示】
【発明が解決しようとする課題】
【０００４】
上記背景に鑑みて、本発明の目的は、無線端末機を通してディジタルマルチメディア放送を受信することができる装置及び方法を提供することにある。
【課題を解決するための手段】
【０００５】
このような目的を達成するために、本発明の１つの特徴によれば、無線端末機において、ディジタルマルチメディア放送（ＤＭＢ）信号を受信する装置は、衛星ＤＭＢ信号及び第１の地上ＤＭＢ信号を受信する第１のアンテナと、第２の地上ＤＭＢ信号を受信する第２のアンテナと、上記衛星ＤＭＢ信号を処理する衛星ＤＭＢ受信器と、上記第１及び第２の地上ＤＭＢ信号を処理する地上ＤＭＢ受信器と、上記第１のアンテナが受信した上記衛星ＤＭＢ信号及び上記第１の地上ＤＭＢ信号を上記衛星ＤＭＢ受信器及び上記地上ＤＭＢ受信器のうちのいずれか１つへスイッチングするスイッチング部とを含むことを特徴とする。
【０００６】
本発明の他の特徴によれば、無線端末機において、ディジタルマルチメディア放送（ＤＭＢ）信号を受信する方法は、テレビジョン（ＴＶ）モードでＤＭＢ視聴を選択する場合、ＤＭＢ信号の利用可能な種類を表示するステップと、上記表示されたＤＭＢ信号の種類のうち、ユーザによって衛星ＤＭＢが選択されると、上記衛星ＤＭＢ信号を受信して出力するステップと、上記表示されたＤＭＢ信号の種類のうち、地上ＤＭＢが選択されると、上記地上ＤＭＢ信号を受信して出力するステップとを含むことを特徴とする。
【発明の効果】
【０００７】
本発明は、無線端末機にディジタルマルチメディア放送を受信するための装置を提供することによって、上記無線端末機を使用して通信機能を遂行するのみならず、ＤＭＢを受信することができ、これによって、ユーザの利便性を向上させることができる、という長所がある。
【発明を実施するための最良の形態】
【０００８】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【０００９】
本発明の実施形態において、ＤＭＢモードは、衛星ＤＭＢモードと地上ＤＭＢモードとに分けられる。上記地上ＤＭＢモードは、ヨーロッパ地上ＤＭＢバンドであるＬ−バンド（以下、“第１の地上ＤＭＢバンド”と称する）のモードと、韓国地上ＤＭＢバンドであるバンド−III（以下、“第２の地上バンド”と称する）のモードとに分けられる。ここで、上記衛星ＤＭＢモードの周波数帯域は、２．６〜２．６５ＧＨｚであり、上記第１の地上ＤＭＢモードの周波数帯域は、１４５２〜１４９２ＭＨｚであり、上記第２の地上ＤＭＢモードの周波数帯域は、１７４〜２４０ＭＨｚである。
【００１０】
図１は、本発明の実施形態による無線端末機の構成を示すブロック図であり、図２は、図１のＤＭＢ受信装置の構成を示すブロック図である。
【００１１】
図１及び図２に示すように、無線端末機は、第１のアンテナ１００、第２のアンテナ１０５、制御部１１０、第１のメモリ１２０、ＲＦ（Radio Frequency）部１２１、第２のメモリ１２２、データ処理部１２３、オーディオ処理部１２５、キー入力部１２７、第３のメモリ１２９、スイッチング部１３０、チューナー１４０、ＤＭＢプロセッサー１５０、コーデック（coder-decoder；ＣＯＤＥＣ）１６０、映像処理部１７０、及び表示部１８０と、を含む。
【００１２】
図１及び図２を参照すると、ＲＦ部１２１は、無線端末機の無線通信の機能を遂行する。ＲＦ部１２１は、送信される信号の周波数をアップコンバートして増幅するＲＦ送信器と、受信された信号を低雑音で増幅し、上記受信された信号の周波数をダウンコンバートするＲＦ受信器と、を含む。
【００１３】
データ処理部１２３は、上記送信される信号を符号化して変調する送信器及び上記受信された信号を復調して復号化する受信器とを含む。すなわち、データ処理部１２３は、モデム（modulator-demodulator；MODEM）及びコーデックで構成されることができる。データ処理部１２３は、制御部１１０に含まれても良い。
【００１４】
オーディオ処理部１２５は、データ処理部１２３から出力された受信されたオーディオ信号を再生するか、又は、マイクロフォーンから生成された送信オーディオ信号をデータ処理部１２３へ出力する機能を遂行する。また、本発明の実施形態に従って、上記無線端末機がテレビジョン（ＴＶ）モードを遂行する場合、オーディオ処理部１２５は、コーデック１６０から出力されたＤＭＢ信号のオーディオ信号を再生する機能を遂行する。
【００１５】
キー入力部１２７は、数字及び文字情報を入力するためのキー及び各種機能を設定するための機能キーを含む。また、キー入力部１２７は、本発明の実施形態に従って、ＤＭＢ信号を処理するための各種モード設定キーを含む。
【００１６】
第３のメモリ１２９は、プログラムメモリ及びデータメモリで構成されることができる。上記プログラムメモリは、無線端末機の全般的な動作を制御するためのプログラムを記憶することができる。また、本発明の実施形態に従って、上記プログラムメモリは、ＤＭＢ信号を処理するためのプログラムを記憶することができる。また、第３のメモリ１２９は、上記プログラムを遂行する間に発生されるデータを一時記憶する機能を遂行する。
【００１７】
制御部１１０は、本発明の実施形態に従って無線端末機の全般的な動作を制御し、データ処理部１２３を含むことができる。
【００１８】
本発明の実施形態による無線端末機が通信モードを遂行する場合、制御部１１０は、スイッチング部１３０を制御して第１のアンテナ１００が受信した信号をＲＦ部１２１へスイッチングして無線通信の機能を遂行するようにする。
【００１９】
また、本発明の実施形態による無線端末機が衛星ＤＭＢモードを遂行する場合、制御部１１０は、スイッチング部１３０を制御して第１のアンテナ１００が受信した衛星ＤＭＢ信号をチューナー１４０の第１のチューナー１４１へスイッチングする。
【００２０】
本発明の実施形態による無線端末機が第１の地上ＤＭＢモードを遂行する場合、制御部１１０は、スイッチング部１３０を制御して第１のアンテナ１００が受信した第１の地上ＤＭＢ信号を第２のチューナー１４２へスイッチングする。
【００２１】
一方、本発明の実施形態による無線端末機が第２の地上ＤＭＢモードを遂行する場合、制御部１１０は、第２のアンテナ１０５が受信した第２の地上ＤＭＢ信号を第２のチューナー１４２に印加する。また、本発明の実施形態に従って、ＤＭＢプロセッサー１５０にＤＭＢモードを設定する場合、制御部１１０は、所定のＤＭＢモードを使用しない場合、ＤＭＢプロセッサー１５０が該当ＤＭＢモードのパワーをターンオフするように制御する。一方、制御部１１０は、本発明の実施形態に従って、並列（parallel）通信を使用してコーデック１６０のパワー消費を低減させることができる。
【００２２】
第１のアンテナ１００は、本発明の実施形態に従って、符号分割多重接続（ＣＤＭＡ）及びパーソナル通信サービス（Personal Communication Service;ＰＣＳ）信号のような通信信号を受信してスイッチング部１３０に印加する。また、第１のアンテナ１００は、上記衛星ＤＭＢ信号及び上記第１の地上ＤＭＢ信号をスイッチング部１３０に印加する。
【００２３】
第２のアンテナ１０５は、本発明の実施形態に従って、上記第２の地上ＤＭＢ信号を第２のチューナー１４２に印加する。
【００２４】
チューナー１４０は、制御部１１０の制御動作に従って選択されたＤＭＢ信号を受信し、上記受信されたＤＭＢ信号の周波数を変換する機能を遂行する。チューナー１４０は、本発明の実施形態に従って、第１のチューナー１４１と第２のチューナー１４２とを含む。このとき、第１のチューナー１４１は、衛星ＤＭＢ信号を受信して周波数変換し、第２のチューナー１４２は、地上ＤＭＢ信号を受信して周波数変換する。
【００２５】
ＤＭＢプロセッサー１５０は、本発明の実施形態に従って、チューナー１４０から出力されたＤＭＢ信号を復調してデコーディングする機能を遂行する。すなわち、ＤＭＢプロセッサー１５０は、制御部１１０の制御動作に従って、第１のチューナー１４１及び第２のチューナー１４２が受信したＤＭＢ信号を復調し、上記復調されたＤＭＢ信号をオーディオ信号及び映像信号に分離して、チャンネル別にデコーディングを遂行する。上記チャンネル別にデコーディングされたＤＭＢ信号は、バッファーメモリである第１のメモリ１２０に記憶される。
【００２６】
コーデック１６０は、制御部１１０の制御動作に従ってＤＭＢプロセッサー１５０から受信されたオーディオ信号及び映像信号をＭＰＥＧ（Motion Picture Expert Group）規格の信号にデコーディングし、上記デコーディングされたオーディオ信号をオーディオ処理部１２５へ出力し、上記デコーディングされた映像信号を映像処理部１７０へ出力する。上記デコーディングされたオーディオ信号及び映像信号は、第２のメモリ１２２に記憶される。第２のメモリ１２２は、上記デコーディングされたオーディオ信号及び映像信号のみならず、多様なデータを記憶することができる。
【００２７】
本発明の実施形態による無線端末機がＤＭＢモードを遂行すると、映像処理部１７０は、コーデック１６０から出力された映像信号及び制御部１１０から出力されたユーザデータを処理し、上記処理された信号及び上記処理されたユーザデータを表示部１８０の該当領域に表示する。また、映像処理部１７０は、コーデック１６０に含まれても良い。
【００２８】
上記無線端末機が通信モードで動作すると、表示部１８０は、制御部１１０から出力されたデータを表示する。上記無線端末機がＤＭＢモードで動作する場合、表示部１８０は、映像処理部１７０から出力されたＤＭＢ映像データ及びユーザデータをそれぞれ対応する領域に表示する。ここで、表示部１８０は、ＬＣＤ（Liquid Crystal Display）を使用することができ、上記ＬＣＤの場合、表示部１８０は、ＬＣＤ制御部、映像データを記憶することができるメモリ、及びＬＣＤ素子を含むことができる。また、上記ＬＣＤをタッチスクリーン（touch screen）方式を使用して実現する場合、キー入力部１２７及び表示部１８０は、入力部になることもできる。
【００２９】
図３は、図２のＤＭＢ受信装置の詳細な構成を示すブロック図である。
【００３０】
図１乃至図３を参照すると、第１のアンテナ１００は、通信信号帯域周波数（ＣＤＭＡ：８００〜９００ＭＨｚ又はＰＣＳ：１８５０〜１９９０ＭＨｚ）、衛星ＤＭＢ信号帯域周波数（２．６３〜２．６５ＧＨｚ）、及び第１の地上ＤＭＢ信号帯域周波数（１．４５〜１．４９ＧＨｚ）のすべての範囲を受信するように構成されている。
【００３１】
第１のアンテナ１００の内部は、ヘリカル（Helical）で構成され、所望の周波数帯域で共振することが望ましい。上記ヘリカル構成が上記４個の帯域周波数、すなわち、ＣＤＭＡ信号、ＰＣＳ信号、衛星信号、及び第１の地上ＤＭＢ信号を受信することができる４個のヘリカルを含むことが望ましい。また、上記ヘリカル構成の巻き周期及び巻き回数を調節することによって、所望の周波数帯域の信号は、受信されることができる。
【００３２】
第２のアンテナ１０５は、第２の地上ＤＭＢ信号の帯域周波数（１７４〜２４０ＭＨｚ）を受信し、ホイップアンテナ（whip antenna）で構成されることができる。
【００３３】
スイッチング部１３０は、上記無線端末機が通信モードで動作する中、制御部１１０の制御動作に従って第１のアンテナ１００が受信したＲＦ通信信号をＲＦ部１２１へスイッチングする。また、スイッチング部１３０は、上記無線端末機が衛星ＤＭＢモードで動作する中、制御部１１０の制御動作に従って第１のアンテナ１００が受信した上記衛星ＤＭＢ信号を第１のチューナー１４１にスイッチングする。
【００３４】
スイッチング部１３０は、上記無線端末機が第１の地上ＤＭＢモードで動作する中、制御部１１０の制御動作に従って第１のアンテナ１００が受信した第１の地上ＤＭＢ信号を第２のチューナー１４２にスイッチングする。
【００３５】
上記衛星ＤＭＢ受信器は、第１のチューナー１４１、第１のＤＭＢプロセッサー１５７、及び第１のコーデック１６１を含む。
【００３６】
第１のチューナー１４１は、スイッチング部１３０から上記衛星ＤＭＢ信号を受信した後、上記受信された衛星ＤＭＢ信号を周波数変換する。すなわち、第１のチューナー１４１は、上記衛星ＤＭＢ信号周波数を中間周波数（ＩＦ）信号（３８ＭＨｚ又は２ＭＨｚ）にダウンコンバートする集積回路（ＩＣ）である。
【００３７】
ＤＭＢプロセッサー１５０は、第１のＤＭＢプロセッサー１５７及び第２のＤＭＢプロセッサー１５８を含む。
【００３８】
上記第１のＤＭＢプロセッサー１５７は、制御部１１０の制御動作に従って上記衛星ＤＭＢ信号の復調及びデコーディングを遂行し、第１の復調器１５１、第１のチャンネルデコーダー１５２、及びパイロットチャンネルデコーダー１５３を含む。
【００３９】
第１の復調器１５１は、第１のチューナー１４１から受信されたアナログ衛星ＤＭＢ信号をディジタル信号に復調する。このとき、第１の復調器１５１は、符号分割多重化（code division multiplexing；以下、ＣＤＭと称する）方式を使用する。また、第１の復調器１５１は、上記ディジタル衛星ＤＭＢ信号をオーディオ信号及び映像信号に分離する。
【００４０】
第１のチャンネルデコーダー１５２は、第１の復調器１５１から受信された上記ディジタル衛星ＤＭＢ信号をチャンネル別にそれぞれデコーディングし、上記デコーディングされたディジタル衛星ＤＭＢ信号は、第１のメモリ１２０に記憶される。
【００４１】
パイロットチャンネルデコーダー１５３は、送受信動作間の同期化を実現するために提供される。これは、衛星ＤＭＢコーディング方式がＣＤＭ方式であるので、送受信動作間の同期化のためにパイロットチャンネルを必要とする。
【００４２】
第１のコーデック１６１は、制御部１１０の制御動作に従って、第１のＤＭＢプロセッサー１５７によって上記受信された衛星ＤＭＢ信号から分離されたオーディオ信号及び映像信号をデコーディングする。第１のコーデック１６１は、上記デコーディングされたオーディオ信号をオーディオ処理部１２５を通してスピーカーへ出力し、上記デコーディングされた映像信号を映像処理部１７０を通して表示部１８０に表示する。
【００４３】
一方、上記地上ＤＭＢ受信器は、第２のチューナー１４２、第２のＤＭＢプロセッサー１５８、及び第２のコーデック１６２とを含む。
【００４４】
第２のチューナー１４２は、スイッチング部１３０から第１の地上ＤＭＢ信号を受信した後、上記受信された第１の地上ＤＭＢ信号を周波数変換する。また、第２のチューナー１４２は、第２のアンテナ１０５から第２の地上ＤＭＢ信号を受信した後、上記受信された第２の地上ＤＭＢ信号を周波数変換する。すなわち、第２のチューナー１４２は、上記第１及び第２の地上ＤＭＢ信号周波数をＩＦ信号（３８ＭＨｚ又は２ＭＨｚ）にダウンコンバートする集積回路（ＩＣ）である。
【００４５】
第２のＤＭＢプロセッサー１５８は、制御部１１０の制御動作に従って上記地上ＤＭＢ信号の復調及びデコーディングを遂行し、第２の復調器１５４及び第２のチャンネルデコーダー１５５を含む。第２の復調器１５４は、上記第１の地上ＤＭＢ信号及び上記第２の地上ＤＭＢ信号をディジタル信号に復調する。上記第２の復調器１５４は、直交周波数分割多重（Orthogonal Frequency Division Multiplexing；ＯＦＤＭ）方式を使用する。ＯＦＤＭ方式は、ヨーロッパ、日本及びオーストラリアのディジタルＴＶ標準で変調技術として採択される。上記ＯＦＤＭ技術が使用されると、所定の間隔で離れている複数の搬送波にデータを分散させることができる。上記ＯＦＤＭ技術は、該当復調器が自身の周波数ではない異なる周波数を受信しないように“直交性”を提供する。
【００４６】
第２の復調器１５４は、上記ディジタル信号に変換された上記第１の地上ＤＭＢ信号及び第２の地上ＤＭＢ信号をオーディオ信号及び映像信号に分離する。
【００４７】
第２のチャンネルデコーダー１５５は、第２の復調器１５４から受信された第１の地上ＤＭＢ信号及び第２の地上ＤＭＢ信号をチャンネル別にそれぞれデコーディングし、上記デコーディングされた第１の地上ＤＭＢ信号及び第２の地上ＤＭＢ信号は、第１のメモリ１２０に記憶される。
【００４８】
第２のコーデック１６２は、制御部１１０の制御動作に従って、第２のＤＭＢプロセッサー１５８によって前記受信された第１及び第２の地上ＤＭＢ信号から分離されたオーディオ信号及び映像信号をデコーディングする。第２のコーデック１６２は、上記デコーディングされたオーディオ信号をオーディオ処理部１２５を通してスピーカーへ出力し、上記デコーディングされた映像信号を映像処理部１７０を通して表示部１８０に表示する。
【００４９】
下記表１は、チューナー１４０（すなわち、第１のチューナー１４１及び第２のチューナー１４２）とＤＭＢプロセッサー１５０との間で送受信される制御信号を示す。
【００５０】
【表１】
2005328543.tif 000003
【００５１】
下記表２は、ＤＭＢプロセッサー１５０とコーデック１６０との間で送受信される制御信号を示す。
【００５２】
【表２】
2005328543.tif 000004
【００５３】
以下、ＤＭＢモードでの無線端末機の動作を図４を参照して詳細に説明する。
【００５４】
図４は、本発明の実施形態による無線端末機でＤＭＢを受信する過程を示すフローチャートである。
【００５５】
図１乃至図４に示すように、上記無線端末機のユーザがＴＶモードを選択すると、制御部１１０は、ステップ４０１で、上記選択されたＴＶモードを感知し、ステップ４０２で、上記無線端末機をＴＶモードに設定する。
【００５６】
上記無線端末機がＴＶモードで動作する間に、上記ユーザがメニューキーを入力すると、制御部１１０は、表示部１８０を制御してＴＶ視聴の選択項目、すなわち、ＴＶ視聴メニューを表示する。
【００５７】
“ＤＭＢ視聴”又は類似したメニュー項目がユーザの選択情報（例えば、キー入力）に従って、上記ＴＶ視聴のメニューから選択されると、ステップ４０３で、制御部１１０は、表示部１８０を制御して上記ＤＭＢ信号の利用可能な種類を表示する。このとき、上記ＤＭＢ信号の種類は、衛星ＤＭＢ及び地上ＤＭＢである。
【００５８】
“衛星ＤＭＢ”又は類似したメニュー項目が上記表示されたＤＭＢ信号の種類から選択されると、ステップ４０４で、制御部１１０は、上記選択された“衛星ＤＭＢ”を感知し、衛星ＤＭＢ受信機能を遂行するステップ４０５へ進行する。
【００５９】
ステップ４０５で、制御部１１０は、スイッチング部１３０を制御して、第１のアンテナ１００が受信した衛星ＤＭＢ信号を第１のチューナー１４１へスイッチングする。
【００６０】
スイッチング部１３０から上記衛星ＤＭＢ信号が受信されると、第１のチューナー１４１は、上記衛星ＤＭＢ信号周波数変換した後、上記周波数変換された衛星ＤＭＢ信号を第１のＤＭＢプロセッサー１５７に印加する。第１のＤＭＢプロセッサー１５７の第１の復調器１５１は、制御部１１０の制御動作に従って上記印加された衛星ＤＭＢ信号のアナログ信号をディジタル信号に復調した後、オーディオ信号及び映像信号に分離する。上記復調された衛星ＤＭＢ信号は、第１のチャンネルデコーダー１５３を通してチャンネル別にそれぞれデコーディングされた後、第１のメモリ１２０に記憶される。このとき、パイロットチャンネルデコーダー１５３は、送受信される衛星ＤＭＢ信号間の同期化を遂行する。上記オーディオ信号及び映像信号は、第１のＤＭＢプロセッサー１５７から第１のコーデック１６１に印加される。第１のコーデック１６１は、上記印加されたオーディオ信号及び映像信号を制御部１１０の制御動作に従ってデコーディングした後、第２のメモリ１２２に記憶する。また、第１のコーデック１６１は、上記デコーディングされたオーディオ信号をオーディオ処理部１２５を通してスピーカーに出力し、上記デコーディングされた映像信号を映像処理部１７０を通して表示部１８０に表示する。
【００６１】
一方、“地上ＤＭＢ”又は類似したメニュー項目が上記ユーザ選択情報に従ってＤＭＢ信号の種類から選択されると、ステップ４０６で、制御部１１０は、上記選択された“地上ＤＭＢ”を感知し、地上ＤＭＢ受信機能を遂行するステップ４０７へ進行する。
【００６２】
ステップ４０７で、第１のアンテナ１００が第１の地上ＤＭＢ信号を受信すると、制御部１１０は、スイッチング部１３０を制御して上記受信された第１の地上ＤＭＢ信号を第２のチューナー１４２にスイッチングする。
【００６３】
ステップ４０７で、第２のアンテナ１０５が第２の地上ＤＭＢ信号を受信すると、制御部１１０は、スイッチング部１３０を制御して上記受信された第２の地上ＤＭＢ信号を第２のチューナー１４２にスイッチングする。
【００６４】
本発明の実施形態では、第１の地上ＤＭＢ信号及び第２の地上ＤＭＢ信号を受信する過程が同一であるので、一般に、上記２つの信号を地上ＤＭＢ信号と称する。
【００６５】
上記地上ＤＭＢ信号（すなわち、第１の地上ＤＭＢ信号又は第２の地上ＤＭＢ信号）を受信した第２のチューナー１４２は、上記地上ＤＭＢ信号の周波数を変換した後、上記周波数変換された地上ＤＭＢ信号を第２のＤＭＢプロセッサー１５８に印加する。
【００６６】
第２のＤＭＢプロセッサー１５８の第２の復調器１５４は、制御部１１０の制御動作に従って、上記印加された地上ＤＭＢ信号のアナログ信号をディジタル信号に復調した後、上記復調された地上ＤＭＢ信号をオーディオ信号及び映像信号に分離する。上記オーディオ信号及び映像信号は、コーデック１６０を通してオーディオ処理部１２５及び表示部１８０によって出力される。
【００６７】
上記衛星ＤＭＢ受信機能又は上記地上ＤＭＢ受信機能が遂行される中に、上記ユーザが該当機能の終了を選択すると、制御部１１０は、ステップ４０８で、上記選択された機能終了を感知し、上記ＴＶモードを解除するステップ４０９へ進行する。
【００６８】
一方、上記無線端末機のユーザが無線通信の機能を遂行するための通信モードを選択すると、制御部１１０は、上記通信モードの機能を遂行するステップ４１１へ進行する。
【００６９】
ステップ４１１で、制御部１１０は、スイッチング部１３０を制御して第１のアンテナ１００が受信した通信信号をＲＦ部１２１へスイッチングする。
【００７０】
ＲＦ部１２１は、スイッチング部１３０から受信された通信信号を通して無線通信の機能を遂行する。
【００７１】
以上、本発明の詳細について具体的な実施の形態に基づき説明してきたが、本発明の範囲を逸脱することなく、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００７２】
【図１】本発明の実施形態による無線端末機の構成を示すブロック図である。
【図２】図１のＤＭＢ受信装置の構成を示すブロック図である。
【図３】図２のＤＭＢ受信装置の詳細な構成を示すブロック図である。
【図４】本発明の実施形態による無線端末機でＤＭＢを受信する過程を示すフローチャートである。
【符号の説明】
【００７３】
１００  第１のアンテナ
１０５  第２のアンテナ
１１０  制御部
１２０  第１のメモリ
１２１  ＲＦ部
１２２  第２のメモリ
１２３  データ処理部
１２５  オーディオ処理部
１２７  キー入力部
１２９  第３のメモリ
１３０  スイッチング部
１４０  チューナー
１５０  ＤＭＢプロセッサー
１６０  コーデック
１７０  映像処理部
１８０  表示部
【図１】
2005328543.tif 000005
【図２】
2005328543.tif 000006
【図３】
2005328543.tif 000007
【図４】
2005328543.tif 000008
【外国語明細書】
2005328543.tif 000009
2005328543.tif 000010
2005328543.tif 000011
2005328543.tif 000012
2005328543.tif 000013
2005328543.tif 000014
2005328543.tif 000015
2005328543.tif 000016
2005328543.tif 000017
2005328543.tif 000018
2005328543.tif 000019
2005328543.tif 000020
2005328543.tif 000021
2005328543.tif 000022
2005328543.tif 000023
2005328543.tif 000024
2005328543.tif 000025
2005328543.tif 000026
2005328543.tif 000027
2005328543.tif 000028
2005328543.tif 000029